(57)【要約】【課題】  棚付き机の使用状態の変更に伴って、取り外された上側棚の再利用形態の選択肢を拡大することができるようにするとともに、使い勝手の面においても有利なものにする。【解決手段】  左右一対の側板と背面板と天板とから構成される机本体と、左右一対の棚側板と背面板とから構成され、机本体の天板上面の後部側に配設される脱着自在な下側棚と、左右一対の棚側板と、両棚側板間に亘ってほぼ１列状態で脱着自在に固定連結される単独使用可能な複数の本立てとから構成され、下側棚の上部に配設される脱着自在な上側棚とからなる棚付き机であって、机本体の側板と下側棚の棚側板との少なくとも一方に、上側棚を構成する複数の本立てのうち、少なくとも一つの本立てを脱着自在に固定可能な固定手段を設ける。【選択図】        図９
2006025931.tif 000002
【特許請求の範囲】
【請求項１】
左右一対の側板と、両側板の後端部に亘って取り付けられる背面板と、これらの上端に載架状態で取り付けられる天板とから構成される机本体と、
左右一対の棚側板と、両棚側板の後端部に亘って取り付けられる背面板とから構成され、机本体の天板上面の後部側に配設される脱着自在な下側棚と、
左右一対の棚側板と、両棚側板間に亘ってほぼ１列状態で脱着自在に固定連結される単独使用可能な複数の本立てとから構成され、下側棚の上部に配設される脱着自在な上側棚とからなる棚付き机であって、
前記机本体の側板と前記下側棚の棚側板との少なくとも一方に、前記上側棚を構成する複数の本立てのうち、少なくとも一つの本立てを脱着自在に固定可能な固定手段が設けられている棚付き机。
【請求項２】
前記固定手段が、机本体の側板並びに下側棚の棚側板の外面側において、本立てを脱着自在に固定するように構成されている請求項１記載の棚付き机。
【請求項３】
前記固定手段が、机本体の側板から下側棚の棚側板に亘って、上下方向に並列した状態で複数設けられている請求項２記載の棚付き机。
【請求項４】
前記机本体の膝入れ空間の奥側に、机本体の左右幅方向の中央位置に固定された縦板と、その縦板の左右両側において、縦板と机本体の側板との間に設けられた横板とから構成される内棚が設けられているとともに、
前記複数の本立てのうち、少なくとも一つの本立ての最大左右幅が、前記内棚の縦板と前記机本体の側板との間隔と同幅又はその間隔よりも小幅に形成されている請求項１〜３のいずれか１項に記載の棚付き机。
【発明の詳細な説明】
【技術分野】
【０００１】
本発明は、主として書棚付き学習机として用いられるもので、詳しくは、左右一対の側板と、両側板の後端部に亘って取り付けられる背面板と、これらの上端に載架状態で取り付けられる天板とから構成される机本体と、左右一対の棚側板と、両棚側板の後端部に亘って取り付けられる背面板とから構成され、机本体の天板上面の後部側に配設される脱着自在な下側棚と、左右一対の棚側板と、両棚側板間に亘ってほぼ１列状態で脱着自在に固定連結される単独使用可能な複数の本立てとから構成され、下側棚の上部に配設される脱着自在な上側棚とからなる棚付き机に関する。
【背景技術】
【０００２】
この種の棚付き机は、机本体の天板上面に配設される下側棚と上側棚とを自由に脱着することができるから、この下側棚と上側棚とが一体形成されている場合に比して、組立て時や輸送時における取扱いを容易に行うことができるばかりでなく、使用者の成長に伴う学習作業形態の変化、或いは、机上形態の好みや使い勝手の変化等に応じて、机本体と下側棚及び上側棚との組合せを変更することにより、机本体の天板上面に下側棚と上側棚とを配設した第１使用形態と、机本体の天板上面に下側棚のみを配設した第２使用形態、机本体の天板上面から下側棚と上側棚とを共に取り外した第３使用形態とに変更することができ、使用形態の多様化を図ることができる。
そして、従来の棚付き机では、第１使用形態から第２使用形態又は第３使用形態に変更したとき、それに伴って取り外された２つの本立てを左右幅方向にほぼ１列状態で脱着自在に固定連結された状態のまま、机本体の膝入れ空間の奥側に入れ込んだ状態で固定して使用する形態、２つの本立てを左右幅方向にほぼ１列状態で脱着自在に固定連結された状態のまま、机上に載置して使用する形態、２つの本立てそれぞれを一個ずつに分離して、机上の任意の位置に任意の向き姿勢で載置して使用する形態、又は、２つの本立てを上下方向に連結して独立した上下２段の本棚として利用する形態が提案されていた（例えば、特許文献１参照。）。
【特許文献１】特開２００１−２５４１３
【発明の開示】
【発明が解決しようとする課題】
【０００３】
しかしながら、従来の棚付き机であると、第１使用形態から第２使用形態又は第３使用形態に変更するときに取り外される上側棚の複数の本立ての第２使用形態及び第３使用形態における再利用形態について、２つの本立てを左右幅方向にほぼ１列状態で脱着自在に固定連結された状態のまま、机上に載置して使用する形態、２つの本立てそれぞれを一個ずつに分離して、机上の任意の位置に任意の向き姿勢で載置して使用する形態、及び、２つの本立てを上下方向に連結して独立させた上下２段の本棚として利用する形態であれば、机に対してそれら本立てが一体的に固定されていない不安定な形態であるため、本立てごと机上から落下したり、振動等で倒れたりする畏れがあった。
そして、本立てを机に対し一体的に固定させた状態で使用可能な再利用形態としては、２つの本立てを左右幅方向にほぼ１列状態で脱着自在に固定連結された状態のまま、机本体の膝入れ空間の奥側に入れ込んだ状態で固定して使用する形態しか選択肢になく、この場合、本立てが机と一体的に固定されて安定した状態で本立てを利用することが可能であるが、机本体の膝入れ空間の奥側に配置されるため、使い勝手に乏しかった。
【０００４】
この実情に鑑み、本発明の主たる課題は、合理的な改良をもって第１使用形態から第２使用形態又は第３使用状態への変更に伴って取り外された上側棚の再利用形態の選択肢を拡大することができるようにするとともに、使い勝手の面においても有利なものにする点にある。
【課題を解決するための手段】
【０００５】
本発明の第１特徴構成は、棚付き机に係り、その特徴は、
左右一対の側板と、両側板の後端部に亘って取り付けられる背面板と、これらの上端に載架状態で取り付けられる天板とから構成される机本体と、
左右一対の棚側板と、両棚側板の後端部に亘って取り付けられる背面板とから構成され、机本体の天板上面の後部側に配設される脱着自在な下側棚と、
左右一対の棚側板と、両棚側板間に亘ってほぼ１列状態で脱着自在に固定連結される単独使用可能な複数の本立てとから構成され、下側棚の上部に配設される脱着自在な上側棚とからなる棚付き机において、
前記机本体の側板と前記下側棚の棚側板との少なくとも一方に、前記上側棚を構成する複数の本立てのうち、少なくとも一つの本立てを脱着自在に固定可能な固定手段が設けられている点にある。
【０００６】
つまり、この構成であれば、使用者の成長に伴う学習作業形態の変化、或いは、机上形態の好みや使い勝手の変化等に応じて、机本体と下側棚及び上側棚の組合せを変更することにより、机本体の天板上面に下側棚と上側棚とを配設した第１使用形態と、机本体の天板上面に下側棚のみを配設した第２使用形態、机本体の天板上面から下側棚と上側棚とを共に取り外した第３使用形態とに変更することができ、使用形態の多様化を図ることができる。
【０００７】
しかも、第１使用形態から第２使用形態又は第３使用状態への変更に伴って取り外された上側棚を再利用する際、この上側棚自体が、左右一対の棚側板と、単独使用可能な複数の本立てから構成されていることにより、左右の棚側板から分離された複数の本立てを左右方向に連結したまま机上に載置使用したり、個々に分離された本立てを机上の任意の位置に任意の向き姿勢で載置使用したり、或いは、２つの本立てを上下方向に連結して独立させた上下２段の本棚として利用することができるだけでなく、机本体の側板と前記下側棚の棚側板との少なくとも一方に、本立てを脱着自在に固定可能な固定手段が設けられているので、取り外された本立てを机本体の側板又は下側棚の棚側板に固定することができ、これによって、本立てを机に対して固定させた状態で再利用することが可能であるので、本立てを安定した状態で利用することができるとともに、机本体の膝入れ空間の奥側に固定する従来の構成のものに比べて、本などの出し入れも容易となり、また、着座者がいる状態であっても、他者と共有して本立てを利用することが可能となり便利である。
【０００８】
更に、単独使用可能な複数の本立てを左右の棚側板間にほぼ１列状態で固定連結して上側棚を構成するが故に、各本立ての左右方向での寸法を任意に設定しながらも、上側棚の両棚側板の左右方向での外面間隔を、机本体の両側板の左右方向での外面間隔と同一に構成することができる。
【０００９】
従って、このように構成することで、第１使用形態から第２使用形態又は第３使用形態への変更に伴って取り外された上側棚の再利用形態の選択肢を拡大することができるとともに、使い勝手の面においても有利なものにすることができる。
【００１０】
本発明の第２特徴構成は、第１特徴構成の実施において好適な構成であり、その特徴は、
前記固定手段が、机本体の側板並びに下側棚の棚側板の外面側において、本立てを脱着自在に固定するように構成されている点にある。
【００１１】
つまり、この構成であれば、本立てを机本体の側板並びに下側棚の棚側板の外面側に固定することで、これまではフック等を取り付けたりして、鞄や袋等を吊下げる程度にしか利用することのなかった机の外側面のスペースを有効利用することができるとともに、着座者がいる状態であっても、他者と共有して本立てを利用することが可能となり便利である。
【００１２】
また、通常、この種の学習机では机本体に形成される膝入れ空間の左右一方に寄った位置に、膝入れ空間に入り込む可動式の引き出しキャビネットが設置されるが、従来構造の机における２つの本立てを左右幅方向にほぼ１列状態で脱着自在に固定連結された状態のまま、机本体の膝入れ空間の奥側に入れ込んだ状態で固定して使用する形態であると、引き出しキャビネットを膝入れ空間から取り出して、机とは別に設置する必要があり、このため、全体としての設置面積が大きくなってしまっていた。
しかしながら、本発明の構成であれば、本立てが机本体の側板並びに下側棚の棚側板の外面側に固定されるので、本立てを机に取り付けた状態で、引き出しキャビネットを膝入れ空間に設置したままの形態にすることもでき、全体としての設置面積も大きくなったりすることがほとんどない。
【００１３】
従って、第１使用形態から第２使用形態又は第３使用状態への変更に伴って取り外された本立てを机に取り付けることで、本立てを安定させた状態で使用することができるとともに、机の外面側に取り付けるので、机の外面側をより有効的に利用しながら、机を利用している着座者だけでなく、他者も本立てを利用することができる共有形態にすることができ、また、引き出しキャビネットも膝入れ空間に収納した状態のままで取り付けることができるので、全体としての設置面積を大きくすることもなく、使い勝手のいいものにすることができる。
【００１４】
本発明の第３特徴構成は、第２特徴構成の実施において好適な構成であり、その特徴は、
前記固定手段が、机本体の側板から下側棚の棚側板に亘って、上下方向に並列した状態で複数設けられている点にある。
【００１５】
つまり、この構成であれば、使用者の成長に伴う身長の変化や学習作業形態の変化、或いは、机上形態の好みや使い勝手の変化等に応じて、机本体の側板並びに下側棚の棚側板に固定される本立ての高さ位置を選択することができるので、第１使用形態から第２使用形態又は第３使用状態への変更に伴って取り外された上側棚の再利用形態の選択肢を一層拡大することができ、自由度をより高めることができる。
【００１６】
また、机本体の側板から下側棚の棚側板に亘って、上下方向に並列した状態で複数設けられている固定手段に、複数の本立てを上下方向で並べた状態で固定することで、机の外面側に固定された複数段の本立てを形成することもでき、より一層、取り外された上側棚の再利用形態の選択肢を拡大することができ、自由度を高めることができる。
【００１７】
本発明の第４特徴構成は、第１〜第３特徴構成のいずれか１つの特徴構成の実施において好適な構成であり、その特徴は、
前記机本体の膝入れ空間の奥側に、机本体の左右幅方向の中央位置に固定された縦板と、その縦板の左右両側において、縦板と机本体の側板との間に設けられた横板とから構成される内棚が設けられているとともに、
前記複数の本立てのうち、少なくとも一つの本立ての最大左右幅が、前記内棚の縦板と前記机本体の側板との間隔と同幅又はその間隔よりも小幅に形成されている点にある。
【００１８】
つまり、この構成であれば、従来構造の机における第１使用形態では利用されていなかった膝入れ空間の奥側のスペースに内棚を設けることにより、第１使用形態でもそのスペースを有効利用することができるとともに、第１使用形態から第２使用形態又は第３使用形態に変更するときに取り外される複数の本立てのうち、少なくとも一つの本立ての最大左右幅を、内棚の縦板と机本体の側板との間隔と同幅又はその間隔よりも小幅に形成することにより、取り外された本立ての全てを机本体の側板や下側棚の棚側板に固定するのではなく、少なくとも一つの本立てを膝入れ空間の奥側に設けられている内棚の横板に載置固定することが可能となり、第１使用形態から第２使用形態又は第３使用状態への変更に伴って取り外された上側棚の再利用形態の選択肢をより一層拡大することができ、自由度を高めることができる。
【発明を実施するための最良の形態】
【００１９】
〔第１実施形態〕
図１〜図１１は、書棚付き学習机として用いられる本発明の棚付き机を示し、これは、膝入れ空間Ｓを有する机本体Ａと、該机本体Ａの天板１上面の後部側に対して脱着自在に取付けられる下側棚Ｂと、この下側棚Ｂの上部に位置する状態で該下側棚Ｂの左右の棚側板１０に対して脱着自在に取付けられる上側棚Ｃとから構成されているとともに、使用者の成長に伴う学習作業形態の変化、或いは、机上形態の好みや使い勝手の変化等に応じて、机本体Ａと下側棚Ｂ及び上側棚Ｃとの組合せを変更することにより、机本体Ａの天板１上面に下側棚Ｂと上側棚Ｃとを配設した第１使用形態と、机本体Ａの天板１上面に下側棚Ｂのみを配設した第２使用形態、机本体Ａの天板１上面から下側棚Ｂと上側棚Ｃとを共に取り外した第３使用形態とに変更自在に構成されている。
【００２０】
机本体Ａは、図１及び図２に示すように、左右一対の側板２と、該両側板２の後端部に亘って取付けられる一枚の背面板３と、これらの上端に載架状態で取付けられる天板１とを備えていて、天板１の下面に取付けられた左右一対の引出し４の底面と両側板２及び背面板３とにより、着座者の膝を前方から入込み可能な膝入れ空間Ｓが形成されているとともに、膝入れ空間Ｓの奥側に、机本体Ａの左右幅方向の中央位置に固定された縦板５ａと、その縦板５ａの左右両側において、縦板５ａと机本体Ａの側板２との間に設けられた横板５ｂとから構成される可動式の内棚５が設けられている。
【００２１】
内棚５の縦板５ａの後端面の２箇所には、机本体Ａの背面板３に取り付けるためのナット２７が埋設固定（打ち込み固定）されているとともに、机本体Ａの背面板３の左右幅方向中央位置には、埋設ナット２７に対して螺合させるボルト２６を連通させる取付け孔３ａを上下方向に３箇所、縦板５ａの二つの埋設ナット２７と同一間隔で形成しており、これによって、上下２つの位置において選択的に内棚５を配設することができる。
【００２２】
そして、内棚５の縦板５ａ及び机本体Ａの側板２には、両横板５ｂの左右両端下部の前後２箇所に形成された係合凹部６と係合して、横板５ｂを縦板５ａと机本体Ａの側板２との間に載置固定するためのダボ７を嵌設する取付け凹部８が、縦板５ａには前後方向に３列、上下方向に３段の合計９箇所、机本体Ａの側板２には前後方向３列、上下方向に４段の合計１２箇所に形成されていて、縦板５ａの背面板３に対する取付け位置の選択と共に、取付け凹部８に対するダボ７の差し込み位置を変更することで、両横板５ｂの固定位置を自由に変更することができることで、内棚５を可動式にしている。
【００２３】
机本体Ａの側板２及び背面板３には、後述する上側棚Ｃを構成する本立て２２を取り付けるための取付け孔９が形成されていて、側板２には３箇所、背面板３には縦板５ａの両側それぞれに２箇所ずつ計４箇所形成されている。
【００２４】
下側棚Ｂは、図１及び図２に示すように、左右一対の棚側板１０と、該両棚側板１０の後端部に亘って固定連結される背面板１１、及び、該背面板１１の前面の左右中央部に固着された中央仕切板１２とに亘って、可動棚板１３を脱着自在に載置支持する棚受け部材１４と、二つの仕切り板１５を備えた固定棚板１６とを取付けるとともに、固定棚板１６の下面には、左右一対の引出し１７が設けられている。
また、この下側棚Ｂは、机本体Ａの天板１に対して周知の左右一対の取付け金具１８を介して脱着自在に固定連結されている。
【００２５】
上側棚Ｃは、図１〜図３に示すように、左右一対の棚側板２０と、該両棚側板２０の後端部に亘って脱着自在に固定連結される背面板２１、及び、両棚側板２０間に亘ってほぼ１列状態で脱着自在に固定連結される単独使用可能な二個の本立て２２から構成されているとともに、両棚側板２０が、本立て２２を上下方向に間隔を隔てた状態で固定連結するための連結板に兼用可能に構成されている。
【００２６】
本立て２２の各々は、左右一対の外側板２２ａと、両外側板２２ａの後端側の上半部分に亘って固定連結される上下二枚の背側板２２ｂ，２２ｃと、これら外側板２２ａと下背側板２２ｃに亘って水平姿勢で固定連結される載置板２２ｄ、及び、載置板２２ｄの左右中央位置と上下二枚の背側板２２ｂ，２２ｃの左右中央位置とに亘って固着される仕切板２２ｅとから構成されていて、仕切板２２ｅには、その後端面に上下二枚の背側板２２ｂ，２２ｃに挟持される形態で、それら背側板２２ｂ，２２ｃと係合する係合部２３が設けられていて、この係合部２３により仕切板２２ｅは背側板２２ｂに固定されている。
【００２７】
二個の本立て２２のうち一方の本立て２２Ａは、その最大左右幅Ｗ１が机本体Ａの膝入れ空間Ｓの奥側に設けられている内棚５の縦板５ａと机本体Ａの側板２との間隔Ｗ２（すなわち、内棚５の横板５ｂの左右幅）と同幅に形成されていて、他方の本立て２２Ｂよりもその最大左右幅Ｗ１が小幅となるように構成されているので、小幅本立て２２Ａは、机本体Ａの内棚５の横板５ｂの上に載置使用可能に構成されている。
【００２８】
本立て２２を構成する各外側板２２ａの上下二箇所及び前後二箇所の合計４箇所には、棚側板２０又は左右方向で隣接する他の本立て２２の外側板２２ａとボルト２６、ナット２７を介して固定連結するための取付け孔２４が貫通形成されているとともに、各棚側板２０の上下二箇所及び前後二箇所の合計４箇所には、外側板２２ａの取付け孔２４に挿通されたボルト２６と螺合自在なナット２７が埋設固定（打ち込み固定）されていて、各外側板２２ａが、棚側板２０又は左右方向で隣接する他の本立て２２の外側板２２ａと固定連結するための連結板に兼用構成されている。
【００２９】
二個の本立て２２のうち小幅本立て２２Ａを構成する載置板２２ｄの後端面の中央位置には、上側棚Ｃの背面板２１に対して小幅本立て２２Ａを脱着自在に取り付けるためのナット２７が埋設固定（打ち込み固定）されているとともに、背面板２１に形成された取付け孔２１ａにボルト２６を通して、載置板２２ｄに埋設されている埋設ナット２７と螺合させている。
【００３０】
また、大幅本立て２２Ｂを構成する載置板２２ｄの後端面には、上側棚Ｃの背面板２１に対して大幅本立て２２Ｂを脱着自在に取り付けるためのナット２７が左右二箇所及び中央箇所の合計３箇所に埋設固定（打ち込み固定）されているとともに、机本体Ａの背面板２１及び大幅本立て２２Ｂの下背側板２２ｃに形成された３箇所の取付け孔２１ａ，２４にボルト２６を通して、載置板２２ｄに埋設されている埋設ナット２７と螺合させている。
【００３１】
そして、大幅本立て２２Ｂを構成する上背側板２２ｂの左右幅方向中央位置には、上側棚Ｃの背面板２１に対して大幅本立て２２Ｂを脱着自在に取り付けるためナット２７が埋設固定（打ち込み固定）されており、背面板２１に形成されている取付け孔２１ｂに背面側からボルト２６を通して、上背側板２２ｂに埋設されている埋設ナット２７と螺合させて、大幅本立て２２Ｂを背面板２１に固定している。
【００３２】
棚側板２０と背面板２１とを脱着自在に固定連結する連結具３０は、図４〜図６に示すように、背面板２１の左右両端面の上下二箇所に、環状の係止溝３１ａを備えた連結ピン３１を設けるとともに、棚側板２０には、連結ピン３１が左右方向から抜き差し自在な連結孔３２ａを備えたロックケース３２を埋設し、このロックケース３２には、連結孔３２ａに連結ピン３１が挿入されている状態でのドライバー等による回転操作により、連結ピン３１の係止溝３１ａに対して径方向外方から係合するロック状態と係止溝３１ａから径方向外方に離脱したロック解除状態とに切替えられるロック部材３３を組付けて構成されている。
【００３３】
下側棚Ｂの棚側板１０と上側棚Ｃの棚側板２０とを脱着自在に固定連結する連結具３５は、図７及び図８（イ）、（ロ）に示すように、下側棚Ｂを構成する棚側板１０の上端の前後二箇所に、環状の係止溝３６ａを備えた連結ピン３６を設けるとともに、上側棚Ｃを構成する棚側板２０の下部には、連結ピン３６が上下方向から抜き差し自在な連結孔３７を形成し、この連結孔３７の奥側には、該連結孔３７に連結ピン３６が挿入されている状態でのドライバー等による回転操作により、連結ピン３６の抜き差しを許容するロック解除状態と連結ピン３６の係止溝３６ａに係合するロック状態とに切替えられるロック部材３８を組付けて構成されている。
【００３４】
そして、上側棚Ｃを組立てる場合、図１〜図３に示すように、棚側板２０とこれに相対向する本立て２２の一方の外側板２２ａとをボルト２６にて固定連結するが、この時、外側板２２ａの上方側の各取付け孔２４にボルト２６を挿通するとともに、その挿通されたボルト２６を、棚側板２０の上方側の埋設ナット２７に螺合する。
また、左右方向で隣接する両本立て２２の他方の外側板２２ａ同士もボルト２６、ナット２７にて固定連結するのであるが、この時、４つの取付け孔２４にそれぞれ挿通したボルト２６と袋状のナット２７とで強固に固定連結する。
更に、背面板２１と本立て２２の載置板２２ｄとを、ボルト２６を載置板２２ｄの埋設ナット２７に背面板２１の取付け孔２１ａに通して螺合させることで、固定連結している。
【００３５】
そして、図９〜図１１に示すように、第１使用形態から第２使用形態又は第３使用状態への変更に伴って取り外された上側棚Ｃの本立て２２を再利用するのに、小幅本立て２２ａを机本体Ａの膝入れ空間Ｓの奥側に設けられた内棚５の横板５ｂに載置される形態で固定する一方、大幅本立て２２ｂを、机本体Ａの側板２に固定手段をもって取付け固定する。
【００３６】
固定手段は、側板２に形成された取付け孔９と、大幅本立て２２Ｂの載置板２２ｄに設けられた埋設ナット２７と、ボルト２６とから構成されていて、載置板２２ｄの埋設ナット２７と側板２の取付け孔９との位置が合致するように、大幅本立て２２Ｂを側板２の外面側に配置し、側板２の内面側からボルト２６を取付け孔９を通じて埋設ナット２７に螺合させることで、大幅本立て２２ｂを机本体Ａの側板２の外面側に固定配置することができる。
【００３７】
そして、小幅本立て２２Ａが机本体Ａの膝入れ空間Ｓの奥側に設けられた内棚５の横板５ｂに載置固定される形態において、机本体Ａの背面板３の４つの取付け孔９は、内棚５の横板５ｂに小幅本立て２２Ａを載置したときに、小幅本立て２２Ａの載置板２２ｄの後端面の中央位置に埋設された埋設ナット２７と前後方向において合致する位置に形成されていて、机本体Ａの膝入れ空間Ｓの奥側に設けられた内棚５の横板５ｂに載置し、ボルト２６を机本体Ａの背面板３に形成された取付け孔９に通して、載置板２２ｄの後端面の埋設ナット２７と螺合させることで、小幅本立て９を膝入れ空間Ｓの内棚５の横板５ｂに載置固定する。
【００３８】
また、本立て２２を再利用する他の形態として、机本体Ａの膝入れ空間Ｓに設けられている内棚５を取り外して、両本立て２２Ａ，２２Ｂを連結した状態で机本体Ａの膝入れ空間Ｓ側の面の側板又２は背面板３に対して配置固定して使用することもできる。
【００３９】
更に、本立て２２を、机本体Ａの天板１上面や床面等に単独で載置使用することもできる。
【００４０】
〔第２実施形態〕
図１２は、第１使用形態から第２使用形態又は第３使用状態への変更に伴って取り外された上側棚Ｃの複数の本立て２２を、上下方向で連結した上下２段の本棚４０にし、その本棚４０を机本体Ａの側板２の外側面に固定配置する形態を示し、上側棚Ｃを構成する複数（ここでは二個）の本立て２２は全て同一の左右幅で形成されている。
【００４１】
上側棚Ｃは、棚側板２０と背面板２１及び本立て２２との相互の固定連結を解除したのち、一方の本立て２２Ｃを構成する外側板２２ａの下方側の取付け孔２４を利用して、それに挿通されたボルト２６を、両棚側板２０の上方側の埋設ナット２７に螺合固定するとともに、他方の本立て２２Ｄを構成する外側板２２ａの上方側の取付け孔２４を利用して、それに挿通されたボルト２６を、両棚側板２０の下方側の埋設ナット２７に螺合固定して、上下２段の本棚４０を形成する。
【００４２】
そして、この本棚４０は、固定手段である机本体Ａの側板２に形成された取付け孔９と、各本立て２２の載置板２２ｄに埋設された埋設ナット２７と、ボルト２６とにより、机本体Ａの側板２の外面側に固定配設される。
【００４３】
更に、図１３に示すように、第１使用形態から第２使用形態又は第３使用状態への変更に伴って取り外された上側棚Ｃの本立て２２は、一つの独立した本棚４０として再利用することもでき、この場合には、棚側板２０と背面板２１及び本立て２２との相互の固定連結を解除したのち、一方の本立て２２を構成する外側板２２ａの下方側の取付け孔２４を利用して、それに挿通されたボルト２６を、両棚側板２０の上方側の埋設ナット２７に螺合固定するとともに、他方の本立て２２を構成する外側板２２ａの上方側の取付け孔２４を利用して、それに挿通されたボルト２６を、両棚側板２０の下方側の埋設ナット２７に螺合固定する。
【００４４】
また、本立て２２を再利用する他の形態として、机本体Ａの膝入れ空間Ｓに設けられている内棚５を取り外して、両本立て２２Ｃ，２２Ｄを連結した状態で机本体Ａの膝入れ空間Ｓ側の面の側板又２は背面板３に対して配置固定して使用することもできる。
【００４５】
そしてまた、本立て２２を、机本体Ａの天板１上面や床面等に単独で載置使用することもできる。
【００４６】
なお、その他の構成は、第１実施形態で説明した構成と同一であるから、同一の構成箇所には、第１実施形態と同一の番号を付記してそれの説明は省略する。
【００４７】
〔別実施形態〕
次に別実施形態を列記する。
【００４８】
上述の第１及び第２実施形態では、上側棚Ｃを構成する本立て２２の数を二個にしていたが、本立て２２の数は二個に限るものではなく、三個以上であってもよい。
【００４９】
上述の第１実施形態では、第１使用形態から第２使用形態又は第３使用形態に変更するときに取り外した二個の本立て２２Ａ，２２Ｂを、小幅本立て２２Ａは机本体Ａの膝入れ空間Ｓの奥側に設けられた内棚５の横板５ｂに載置固定し、大幅本立て２２Ｂは机本体Ａの側板２の外側面に配置固定したが、本立て２２の配設位置の組み合わせはこれに限るものではなく、特に、小幅本立て２２Ａは、大幅本立て２２Ｂと同じ側の机本体Ａの側板２の内面側や大幅本立て２２Ｂとは反対側の机本体の側板２の外面側又は内面側など任意に位置に配置固定することができる。
【００５０】
また、上述の第１及び第２実施形態において、机の使用形態を第２使用形態に変更する場合は、本立て２２を下側棚Ｂの棚側板１０の外面側に配置固定してもよい。
【００５１】
机本体Ａの側板２又は下側棚Ｂの棚側板１０と本立て２２とを脱着自在に固定連結する固定手段としては、上述した実施形態の構造のものに限定されるものではなく、両者を脱着自在に固定連結することのできるものであれば、如何なる構造のものを採用してもよい。
【００５２】
上述の第１及び第２実施形態では、棚付き机を机本体Ａと下側棚Ｂと上側棚Ｃとから構成していたが、この構成に加えて、図１４及び図１５に示すように、机本体Ａに形成される膝入れ空間Ｓに、複数段の引き出しを備えた可動式のキャビネットＤを左右幅方向の一方側に偏倚した位置に挿設した構成であってもよく、その場合、机本体Ａの側板２に配置固定する本立て２２は側板２の外面側に配置固定するのが望ましい。
【図面の簡単な説明】
【００５３】
【図１】本発明の棚付き机の第１実施形態を示す全体の正面図
【図２】全体の側面図
【図３】上側棚の分解斜視図
【図４】上側棚の棚側板と背面板とを連結する直前の拡大断面図
【図５】上側棚の棚側板と背面板とを連結したときの拡大断面図
【図６】上側棚の棚側板と背面板とを連結する連結具の側面図
【図７】（イ）は両本立ての外側板どうしを連結する直前の拡大断面図            （ロ）は両本立ての外側板どうしを連結したときの拡大断面図
【図８】（イ）は本立ての外側板と棚側板とを連結する直前の拡大断面図            （ロ）は本立ての外側板と棚側板とを連結したときの拡大断面図
【図９】上側棚を分解して、本立てを机本体に取り付けたときの斜視図
【図１０】上側棚を分解して、本立てを机本体に取り付けたときの正面図
【図１１】上側棚を分解して、本立てを机本体に取り付けたときの側面図
【図１２】本発明の棚付き机の第２実施形態を示し、本立てを本棚に組み付けて机本体に取り付けたときの斜視図
【図１３】本立てを独立した本棚に組み付けたときの斜視図
【図１４】本発明の別実施形態を示す全体の正面図
【図１５】本発明の別実施形態において、本立てを机本体に取り付けたときの正面図
【符号の説明】
【００５４】
１        机本体の天板
２        机本体の側板
３        机本体の背面板
５        内棚
５ａ      縦板
５ｂ      横板
９        固定手段
１０      下側棚の棚側板
１１      下側棚の背面板
２０      上側棚の棚側板
２１      上側棚の背面板
２２      本立て
２６      固定手段
２７      固定手段
Ａ        机本体
Ｂ        下側棚
Ｃ        上側棚
Ｓ        膝入れ空間
Ｗ１      本立ての最大左右幅
Ｗ２      間隔
【図１】
2006025931.tif 000003
【図２】
2006025931.tif 000004
【図３】
2006025931.tif 000005
【図４】
2006025931.tif 000006
【図５】
2006025931.tif 000007
【図６】
2006025931.tif 000008
【図７】
2006025931.tif 000009
【図８】
2006025931.tif 000010
【図９】
2006025931.tif 000011
【図１０】
2006025931.tif 000012
【図１１】
2006025931.tif 000013
【図１２】
2006025931.tif 000014
【図１３】
2006025931.tif 000015
【図１４】
2006025931.tif 000016
【図１５】
2006025931.tif 000017